【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
聴力を改善するためのシステムであって、
エンクロージャの外部から音響信号を受信し、マイクロフォン出力信号を生成するための複数のマイクロフォンと、
ユーザの位置に関する情報を受信し、前記ユーザの頭部の位置を計算するユーザ位置処理回路と、
前記マイクロフォン出力信号および前記ユーザの頭部の位置に関する情報を受信し、前記マイクロフォンによって受信され、前記ユーザの聴覚欠損プロファイルに同調された前記音響信号と比較して音響音質が向上したオーディオ出力信号を生成する処理回路と、
オーディオ出力信号を前記ユーザに提供する補助聴覚装置と
を備えるシステム。
【請求項２】
前記ユーザ位置処理回路は、
前記ユーザの頭部の光学画像を取得するための視野を有するカメラと、
ユーザの頭部の位置および注視の向きを計算する位置処理回路とを含み、
前記位置および注視の向きは、前記オーディオ出力信号の方向、強度、角度および品質のうち少なくとも１つを最適化するために前記処理回路によって受信される、請求項１に記載のシステム。
【請求項３】
前記複数のマイクロフォン、ユーザ位置処理回路およびオーディオ送信機が、卓上型装置、スマートウォッチ、電子タブレット、および身体着用型装置のうち1つの中に位置する、請求項１に記載のシステム。
【請求項４】
スマートフォン形態の卓上型装置を含み、前記複数のマイクロフォンは、前記スマートフォンから出退可能である出退自在な繰出し片上に位置する、請求項３に記載のシステム。
【請求項５】
前記複数のマイクロフォンはビーム形成マイクロフォンを備え、前記処理回路は各マイクロフォンのビーム形成パターンを規定するビーム形成アルゴリズムを実行する、請求項１に記載のシステム。
【請求項６】
前記ユーザのジェスチャーを検出し、前記オーディオ出力信号の特性を制御するための制御信号を出力するセンサを含む、請求項１に記載のシステム。
【請求項７】
前記センサは、前記ユーザの長時間にわたる注視ジェスチャーを検出し、長時間にわたる注視ジェスチャーの検出により、前記ユーザに対する通知が起動される、請求項６に記載のシステム。
【請求項８】
ヘッドセットをさらに含み、前記ヘッドセットは、複数のマイクロフォンおよび頭部の動きと位置とを検出するためのセンサのうち少なくとも１つを含む、請求項１に記載のシステム。
【請求項９】
前記センサおよびマイクロフォンアレイは、組み合わされかつ眼鏡の形態である、請求項８に記載のシステム。
【請求項１０】
前記ヘッドセットは、小型イヤホン（earbud）、イヤホン、補聴器、補助聴覚装置、BLUETOOTH（登録商標）ヘッドセット、人工内耳、およびヘッドホンの少なくとも１つの形態である、請求項８に記載のシステム。
【請求項１１】
前記補助聴覚装置は、オーディオスピーカ、無線搭載補聴器、BLUETOOTH（登録商標）ヘッドセット、小型イヤホン、ヘッドホン、骨伝導聴覚装置および人工内耳のうち少なくとも１つを備える、請求項１に記載のシステム。
【請求項１２】
前記補助聴覚装置は小型イヤホンであり、前記小型イヤホンはＥＥＧセンサを有し、前記オーディオ出力は前記ＥＥＧセンサの出力に応じるものである、請求項１に記載のシステム。
【請求項１３】
前記オーディオ出力信号を前記補助聴覚装置に送信するためのオーディオ送信機をさらに含む、請求項１に記載のシステム。
【請求項１４】
前記複数のマイクロフォンおよび処理回路は、エンクロージャに組み込まれたウェブカムと会議電話通話およびビデオ会議能力とを有する会議パック（conference puck）の形態である、請求項１に記載のシステム。
【請求項１５】
前記会議パックは、前記ユーザの場所を検出するウェブカムを含む、請求項１４に記載のシステム。
【請求項１６】
携帯型装置が水平面で平らに横たわることができるよう前記ユーザの頭部を指すように適合されたミラーを有する前記携帯型装置を含む、請求項１に記載のシステム。
【請求項１７】
遅延再生または繰り返し再生のために前記オーディオ出力信号を記憶するためのオーディオ記憶媒体をさらに含む、請求項１に記載のシステム。
【請求項１８】
眼球運動、ＥＥＧ活性、頭部位置またはユーザのタッチのうち少なくとも１つを検出するセンサをさらに含む、請求項１に記載のシステム。
【請求項１９】
注視追跡、ノイズキャンセル、注視追跡の解析、マイクロフォンの組合せの選択、ノイズキャンセルおよび抑制、ならびに音声増幅のうち少なくとも１つを実行するクライアントシステムをさらに備える、請求項１に記載のシステム。
【請求項２０】
前記クライアントシステムは、ケーシングと、入力ソケットと、出力ソケットと、少なくとも１つのスピーカと、透明な電池表示を有する第２の表示灯とを有する音声パック（sound puck）を備える、請求項１９に記載のシステム。
【請求項２１】
前記クライアントシステムは、ベース取付片、スマートフォン取付片およびスマートフォンを有するスマートフォンホルダをさらに備える、請求項１９に記載のシステム。
【請求項２２】
聴力を改善するための方法であって、
スマートフォンを、前記スマートフォンを持つユーザを前記スマートフォンに含まれるカメラで見ることができる位置で保持して、前記ユーザの場所を検出するステップと、
前記スマートフォンに含まれる複数のマイクロフォンによってオーディオ信号を取得するステップと、
前記複数のビーム形成マイクロフォンの角度および強度を定めるビーム形成アルゴリズムを用いる前記ビーム形成マイクロフォンのうち少なくとも１つから処理された向上したオーディオ信号によって、前記ユーザに聴覚情報をフィードバックするステップとを含む方法。
【請求項２３】
前記複数のマイクロフォンは、マイクロフォンアレイ、音声パック、会議パックおよびスマートフォンからなる群から選択される形態である、聴力を改善するための請求項２２に記載の方法。
【請求項２４】
前記ユーザの頭部位置および注視を判定するために利用される複数のカメラを使用することを含む、聴力を改善するための請求項２２に記載の方法。
【請求項２５】
前記ユーザの頭部位置を検出するためのセンサを有する小型イヤホンを使用することを含む、聴力を改善するための請求項２２に記載の方法。
【請求項２６】
前記向上したオーディオ信号は、少なくとも１つの外部スピーカ、少なくとも１つまたは複数の外部パラメトリックスピーカ、少なくとも１つの小型イヤホンを有するかあるいは有しない前記スマートフォン、補聴器、補助聴覚装置、BLUETOOTH（登録商標）ヘッドセット、人工内耳、骨伝導聴覚装置および一組のヘッドホンからなる群から選択される装置によって出力される、聴力を改善するための請求項２２に記載の方法。
【請求項２７】
前記フィードバックするステップは、ユーザの頭部位置の検出、注視追跡、ノイズキャンセル、注視追跡の解析、マイクロフォンの組合せの選択および音声増幅のうち少なくとも１つも行う、聴力を改善するための請求項２２に記載の方法。
【請求項２８】
実行されたときに、ユーザに向上したオーディオ信号を提供するための方法を実行する命令を記憶した非一時的コンピュータ記憶媒体であって、前記方法が、
スマートフォンに含まれる複数のビーム形成マイクロフォンによってオーディオ信号を受信するステップと、
前記ユーザが見えるように焦点が合わされかつ倍率が拡大されたカメラを有する前記スマートフォンによって、前記ユーザの位置を監視するステップと、
前記複数のビーム形成マイクロフォンを用いて処理された向上したオーディオ信号によって、前記ユーザに聴覚情報をフィードバックするステップと
を含む非一時的コンピュータ記憶媒体。
【請求項２９】
前記スマートフォンは、マイクロフォンアレイ、音声パックおよびスマートフォンホルダからなる群から選択されるクライアントシステムに接続される、請求項２８に記載の非一時的コンピュータ記憶媒体。
【請求項３０】
ユーザの頭部位置および注視を判定するために複数のカメラが利用される、請求項２８に記載の非一時的コンピュータ記憶媒体。
【請求項３１】
前記向上したオーディオ信号は、外部スピーカ、前記スマートフォンに含まれる小型イヤホン、補聴器、補助聴覚装置、BLUETOOTH（登録商標）ヘッドセット、人工内耳および一組のヘッドホンからなる群から選択される装置によって出力される、請求項２８に記載の非一時的コンピュータ記憶媒体。
【請求項３２】
前記フィードバックするステップは、ユーザの頭部位置の検出、注視追跡、ノイズキャンセル、注視追跡の解析、マイクロフォンの組合せの選択および音声増幅のうち少なくとも１つを実行する、請求項２８に記載の非一時的コンピュータ記憶媒体。